(57)【要約】  マルチキャスト及びブロードキャストサービス（ＭＢＳ）を支援する移動通信システムにおける移動局（ＭＳ）がＭＢＳを受信するためのブロードキャストサービス接続設定方法を開示する。ＭＳは、特定のブロードキャストサービスに対する接続設定要求を基地局（ＢＳ）へ送信する。ＭＳは、ＢＳから特定のブロードキャストサービスにマッピングされる第１の識別子及び少なくとも一つのコンテンツブロードキャストに個別にマッピングされる第２の識別子を受信する。
2008538479.tif 000002
【特許請求の範囲】
【請求項１】
マルチキャスト及びブロードキャストサービス（ＭＢＳ）を支援する移動通信システムにおける移動局（ＭＳ）が前記ＭＢＳを受信するためのブロードキャストサービス接続設定方法であって、
特定のブロードキャストサービスに対する接続設定要求を基地局（ＢＳ）へ送信するステップと、
前記ＢＳから割り当てられる、前記特定のブロードキャストサービスにマッピングされた第１の識別子と少なくとも１つのコンテンツブロードキャストに個別にマッピングされた第２の識別子とを受信するステップと
を含むことを特徴とするブロードキャストサービス接続設定方法。
【請求項２】
前記接続設定要求は、動的サービス追加要求（ＤＳＡ_ＲＥＱ）メッセージのタイプ／長さ／値（ＴＬＶ）がエンコーディングされた情報フィールドに含まれることを特徴とする請求項１記載のブロードキャストサービス接続設定方法。
【請求項３】
前記第１の識別子は、１つのセルでユニークにブロードキャストされるブロードキャストサービスを識別するためのトランスポート接続識別子（ＣＩＤ）であることを特徴とする請求項１記載のブロードキャストサービス接続設定方法。
【請求項４】
前記第１の識別子は、予め定められた複数のセルで共通にブロードキャストされるブロードキャストサービスを識別するためのマルチキャストＣＩＤであることを特徴とする請求項１記載のブロードキャストサービス接続設定方法。
【請求項５】
前記第１の識別子と前記第２の識別子との組合せにより得られる組合せ値は、各コンテンツブロードキャストに１対１にマッピングされた第３の識別子として割り当てられることを特徴とする請求項１記載のブロードキャストサービス接続設定方法。
【請求項６】
前記第１の識別子と前記第２の識別子との組合せによる組合せ値は、前記特定のブロードキャストサービスにマッピングされた第４の識別子として割り当てられることを特徴とする請求項１記載のブロードキャストサービス接続設定方法。
【請求項７】
前記第２の識別子は、前記少なくとも１つのコンテンツブロードキャストにマッピングされたＭＢＳコンテンツＩＤであることを特徴とする請求項１記載のブロードキャストサービス接続設定方法。
【請求項８】
前記第２の識別子は、前記少なくとも１つのコンテンツブロードキャストにマッピングされたＭＢＳコンテンツＩＤであることを特徴とする請求項７記載のブロードキャストサービス接続設定方法。
【請求項９】
前記第２の識別子は、前記第１の識別子に割り当てられた論理チャネル識別子であることを特徴とする請求項１記載のブロードキャストサービス接続設定方法。
【請求項１０】
前記論理チャネル識別子は、同一の第１の識別子に属する第２の識別子を区別するために使用されることを特徴とする請求項９記載のブロードキャストサービス接続設定方法。
【請求項１１】
マルチキャスト及びブロードキャストサービス（ＭＢＳ）を支援する移動通信システムにおける基地局（ＢＳ）が移動局（ＭＳ）へ前記ＭＢＳを提供するためのブロードキャストサービス接続設定方法であって、
前記ＭＳから特定のブロードキャストサービスに対する接続設定要求を受信するステップと、
前記特定のブロードキャストサービスにマッピングされた第１の識別子及び少なくとも１つのコンテンツブロードキャストに個別にマッピングされた第２の識別子を前記ＭＳに割り当てるステップと
を含むことを特徴とするブロードキャストサービス接続設定方法。
【請求項１２】
前記識別子は、動的サービス追加応答（ＤＳＡ_ＲＳＰ）メッセージのタイプ／長さ／値（ＴＬＶ）がエンコーディングされた情報フィールドに含まれることを特徴とする請求項１１記載のブロードキャストサービス接続設定方法。
【請求項１３】
前記第１の識別子は、トランスポート接続識別子（ＣＩＤ）であることを特徴とする請求項１１記載のブロードキャストサービス接続設定方法。
【請求項１４】
前記第１の識別子は、マルチキャストＣＩＤであることを特徴とする請求項１１記載のブロードキャストサービス接続設定方法。
【請求項１５】
前記第１の識別子と前記第２の識別子との組合せによる組合せ値は、各コンテンツブロードキャストに１対１にマッピングされた第３の識別子として割り当てられることを特徴とする請求項１１記載のブロードキャストサービス接続設定方法。
【請求項１６】
前記第１の識別子と前記第２の識別子との組合せによる組合せ値は、前記特定のブロードキャストサービスにマッピングされた第４の識別子として割り当てられることを特徴とする請求項１１記載のブロードキャストサービス接続設定方法。
【請求項１７】
前記第１の識別子及び前記第２の識別子、又は前記第３の識別子、又は第４の識別子の割当てを通して得られたＭＢＳデータの位置及びサイズを示す情報は、ダウンリンクフレームのＭＢＳ ＭＡＰメッセージの特定のフィールドに含まれて送信されることを特徴とする請求項１５記載のブロードキャストサービス接続設定方法。
【請求項１８】
前記第１の識別子及び前記第２の識別子、又は第３の識別子、又は前記第４の識別子の割当てを通して得られたＭＢＳデータの位置及びサイズを示す情報は、ダウンリンクフレームのＭＢＳ ＭＡＰメッセージの特定のフィールドに含まれて送信されることを特徴とする請求項１６記載のブロードキャストサービス接続設定方法。
【請求項１９】
前記ＭＢＳ ＭＡＰメッセージは、前記第２の識別子を有するＭＢＳデータの位置及びサイズを示す情報の個数を示す情報を含むことを特徴とする請求項１７記載のブロードキャストサービス接続設定方法。
【請求項２０】
前記ＭＢＳ ＭＡＰメッセージは、前記第２の識別子を有するＭＢＳデータの位置及びサイズを示す情報の個数を示す情報を含むことを特徴とする請求項１８記載のブロードキャストサービス接続設定方法。
【請求項２１】
前記ＭＢＳ ＭＡＰメッセージは、前記第１の識別子及び前記第２の識別子に関する情報を含むことを特徴とする請求項１７記載のブロードキャストサービス接続設定方法。
【請求項２２】
前記ＭＢＳ ＭＡＰメッセージは、前記第１の識別子及び前記第２の識別子に関する情報を含むことを特徴とする請求項１８記載のブロードキャストサービス接続設定方法。
【請求項２３】
前記ＭＢＳデータの位置及びサイズを示す情報は、前記第１の識別子及び前記第２の識別子で表されることを特徴とする請求項１７記載のブロードキャストサービス接続設定方法。
【請求項２４】
前記ＭＢＳデータの位置及びサイズを示す情報は、前記第１の識別子及び前記第２の識別子で表されることを特徴とする請求項１８記載のブロードキャストサービス接続設定方法。
【請求項２５】
前記第２の識別子は、前記少なくとも１つのコンテンツブロードキャストにマッピングされたＭＢＳコンテンツＩＤであることを特徴とする請求項１１記載のブロードキャストサービス接続設定方法。
【請求項２６】
前記第２の識別子は、前記第１の識別子に割り当てられた論理チャネル識別子であることを特徴とする請求項１１記載のブロードキャストサービス接続設定方法。
【請求項２７】
前記論理チャネル識別子は、同一の第１の識別子に属する第２の識別子を区別するために使用されることを特徴とする請求項２６記載のブロードキャストサービス接続設定方法。
【請求項２８】
マルチキャスト及びブロードキャストサービス（ＭＢＳ）を支援する移動通信システムにおける移動局（ＭＳ）と基地局（ＢＳ）との間で前記ＭＢＳを提供するためのブロードキャストサービス接続設定方法であって、
前記ＭＳが前記ＢＳへ特定のブロードキャストサービスに対する接続設定要求を送信するステップと、
前記ＢＳが前記特定のブロードキャストサービスにマッピングされた第１の識別子及び少なくとも一つのコンテンツブロードキャストに個別にマッピングされた第２の識別子を前記ＭＳに割り当てるステップと、
前記ＭＳが前記割り当てられた識別子にマッピングされたＭＢＳを受信するステップと
を含むことを特徴とするブロードキャストサービス接続設定方法。
【請求項２９】
前記第１の識別子は、トランスポート接続識別子（ＣＩＤ）であることを特徴とする請求項２８記載のブロードキャストサービス接続設定方法。
【請求項３０】
前記第１の識別子は、マルチキャストＣＩＤであることを特徴とする請求項２８記載のブロードキャストサービス接続設定方法。
【請求項３１】
前記第２の識別子は、複数のコンテンツブロードキャストの各々にマッピングされたＭＢＳコンテンツＩＤであることを特徴とする請求項２８記載のブロードキャストサービス接続設定方法。
【請求項３２】
前記第１の識別子と第２の識別子との組合せによる組合せ値は、前記複数のコンテンツブロードキャストに１対１にマッピングされた第３の識別子として割り当てられることを特徴とする請求項２８記載のブロードキャストサービス接続設定方法。
【請求項３３】
前記第１の識別子と前記第２の識別子との組合せによる組合せ値は、前記特定のブロードキャストサービスにマッピングされた第４の識別子として割り当てられることを特徴とする請求項２８記載のブロードキャストサービス接続設定方法。
【請求項３４】
前記第１の識別子及び前記第２の識別子、又は前記第３の識別子、又は第４の識別子の割当てを通して得られたＭＢＳデータの位置及びサイズを示す情報は、ダウンリンクフレームのＭＢＳ ＭＡＰメッセージの特定のフィールドに含まれて送信されることを特徴とする請求項３２記載のブロードキャストサービス接続設定方法。
【請求項３５】
前記第１の識別子及び前記第２の識別子、又は第３の識別子、又は前記第４の識別子の割当てを通して得られたＭＢＳデータの位置及びサイズを示す情報は、ダウンリンクフレームのＭＢＳ ＭＡＰメッセージの特定のフィールドに含まれて送信されることを特徴とする請求項３３記載のブロードキャストサービス接続設定方法。
【請求項３６】
前記ＭＢＳ ＭＡＰメッセージは、前記第２の識別子を有するＭＢＳデータの位置及びサイズを示す情報の個数を示す情報を含むことを特徴とする請求項３４記載のブロードキャストサービス接続設定方法。
【請求項３７】
前記ＭＢＳ ＭＡＰメッセージは、前記第２の識別子を有するＭＢＳデータの位置及びサイズを示す情報の個数を示す情報を含むことを特徴とする請求項３５記載のブロードキャストサービス接続設定方法。
【請求項３８】
前記ＭＢＳ ＭＡＰメッセージは、前記第１の識別子及び前記第２の識別子に関する情報を含むことを特徴とする請求項３４記載のブロードキャストサービス接続設定方法。
【請求項３９】
前記ＭＢＳ ＭＡＰメッセージは、前記第１の識別子及び前記第２の識別子に関する情報を含むことを特徴とする請求項３５記載のブロードキャストサービス接続設定方法。
【請求項４０】
前記第２の識別子は、前記少なくとも１つのコンテンツブロードキャストにマッピングされたＭＢＳコンテンツＩＤであることを特徴とする請求項２８記載のブロードキャストサービス接続設定方法。
【請求項４１】
前記第２の識別子は、前記第１の識別子に割り当てられた論理チャネル識別子であることを特徴とする請求項２８記載のブロードキャストサービス接続設定方法。
【請求項４２】
前記論理チャネル識別子は、同一の第１の識別子に属する第２の識別子を区別するために使用されることを特徴とする請求項４１記載のブロードキャストサービス接続設定方法。
【請求項４３】
マルチキャスト及びブロードキャストサービス（ＭＢＳ）を支援する移動通信システムにおける前記ＭＢＳを提供するためのブロードキャストサービス接続設定システムであって、
特定のブロードキャストサービス及び複数のコンテンツブロードキャストに対する接続設定要求を送信し、前記特定のブロードキャストサービスにマッピングされた第１の識別子を受信する移動局（ＭＳ）と、
前記特定のブロードキャストサービス及び前記特定のブロードキャストサービスで提供される複数のコンテンツブロードキャストに対する接続設定要求を受信した場合には、前記特定のブロードキャストサービスにマッピングされた第１の識別子及び少なくとも１つのコンテンツブロードキャストにマッピングされた第２の識別子を割り当てる基地局（ＢＳ）と
を含むことを特徴とするブロードキャストサービス接続設定システム。
【請求項４４】
前記ＭＳは、前記複数のコンテンツブロードキャストに対する接続設定要求を動的サービス追加要求（ＤＳＡ_ＲＥＱ）メッセージのタイプ／長さ／値（ＴＬＶ）がエンコーディングされた情報フィールドに含んで送信することを特徴とする請求項４３記載のブロードキャストサービス接続設定システム。
【請求項４５】
前記ＢＳは、前記識別子を動的サービス追加応答（ＤＳＡ_ＲＳＰ）メッセージのタイプ／長さ／値（ＴＬＶ）がエンコーディングされた情報フィールドに含んで割り当てることを特徴とする請求項４３記載のブロードキャストサービス接続設定システム。
【請求項４６】
前記第１の識別子は、トランスポート接続識別子（ＣＩＤ）であることを特徴とする請求項４３記載のブロードキャストサービス接続設定システム。
【請求項４７】
前記第１の識別子は、マルチキャストＣＩＤであることを特徴とする請求項４３記載のブロードキャストサービス接続設定システム。
【請求項４８】
前記ＢＳは、前記第１の識別子と前記第２の識別子との組合せによる組合せ値を前記複数のコンテンツブロードキャストに１対１にマッピングされた第３の識別子として割り当てることを特徴とする請求項４３記載のブロードキャストサービス接続設定システム。
【請求項４９】
前記ＢＳは、前記第１の識別子と前記第２の識別子との組合せによる組合せ値を前記特定のブロードキャストサービスにマッピングされた第４の識別子として割り当てることを特徴とする請求項４３記載のブロードキャストサービス接続設定システム。
【請求項５０】
前記ＢＳは、ＭＢＳデータの位置及びサイズを示す情報をダウンリンクフレームのＭＢＳ ＭＡＰメッセージのＭＢＳデータ情報要素に含んで送信することを特徴とする請求項４９記載のブロードキャストサービス接続設定システム。
【請求項５１】
前記ＭＢＳ ＭＡＰメッセージは、前記第２の識別子を有するＭＢＳデータの位置及びサイズを示す情報の個数を示す情報を含むことを特徴とする請求項５０記載のブロードキャストサービス接続設定システム。
【請求項５２】
前記ＭＢＳデータの位置及びサイズを示す情報は、前記第１の識別子及び前記第２の識別子で表されることを特徴とする請求項５０記載のブロードキャストサービス接続設定システム。
【請求項５３】
前記ＭＢＳデータは、前記第１の識別子及び前記第２の識別子で表される情報に基づいて、ダウンリンクフレームのＭＢＳデータバーストフィールドに順次に含まれることを特徴とする請求項５２記載のブロードキャストサービス接続設定システム。
【請求項５４】
前記ＭＢＳデータは、前記第１の識別子及び前記第２の識別子で表される情報に関係なく、ダウンリンクフレームのＭＢＳデータバーストフィールドにランダムに含まれることを特徴とする請求項５２記載のブロードキャストサービス接続設定システム。
【請求項５５】
前記ＭＢＳデータは、前記ＭＢＳ ＭＡＰメッセージに含まれた論理チャネル識別子で区別されることを特徴とする請求項５４記載のブロードキャストサービス接続設定システム。
【請求項５６】
前記第２の識別子は、前記少なくとも１つのコンテンツブロードキャストにマッピングされたＭＢＳコンテンツＩＤであることを特徴とする請求項４３記載のブロードキャストサービス接続設定システム。
【請求項５７】
前記第２の識別子は、前記第１の識別子に割り当てられた論理チャネル識別子であることを特徴とする請求項４３記載のブロードキャストサービス接続設定システム。
【請求項５８】
前記論理チャネル識別子は、同一の第１の識別子に属する第２の識別子を区別するために使用されることを特徴とする請求項５７記載のブロードキャストサービス接続設定システム。
【発明の詳細な説明】
【技術分野】
【０００１】
本発明は、移動通信システムにおけるブロードキャストサービスに関し、特に、ブロードキャストサービスを複数の移動局へ提供するためのシステム及び方法に関する。
【背景技術】
【０００２】
第４世代（4th Generation；以下、“４Ｇ”と称する）移動通信システムにおいては、約１００Ｍｂｐｓの送信速度で多様なサービス品質（Quality of Service；以下、“ＱｏＳ”と称する）を有するサービスを複数のユーザに提供するために活発な研究が進んでいる。４Ｇ移動通信システムは、次世代通信システムである。現在の第３世代（3rdGeneration；以下、“３Ｇ”と称する）通信システムにおいては、一般に、比較的品質が悪いチャネル環境を有する屋外チャネル環境では、約３８４Ｋｂｐｓの送信速度を支援し、比較的品質が良好なチャネル環境を有する屋内チャネル環境でも、最大２Ｍｂｐｓ程度の送信速度を支援する。
【０００３】
４Ｇ通信システムは、広帯域無線接続（Broadband Wireless Access；以下、“ＢＷＡ”と称する）通信システムであり、ＢＷＡ通信システムは、マルチメディアサービスを送信することができるマルチメディアブロードキャスト／通信システムに発展している。マルチメディアブロードキャスト／通信を支援するために、基地局（Base Station；以下、“ＢＳ”と称する）は、一つ又は複数のマルチメディアデータソースを複数の移動局（Mobile Station；以下、“ＭＳ”と称する）にマルチキャストしてブロードキャストする。ＢＷＡ通信システムにおけるブロードキャストサービスを提供するためのマルチキャスト及びブロードキャストサービスは、マルチキャスト及びブロードキャストサービス（Multicast and Broadcast Service；以下、“ＭＢＳ”と称する）と呼ぶ。すなわち、“ＭＢＳ”は、“ブロードキャストサービス”と同一の意味で使われてもよい。
【０００４】
ＭＢＳは、リアルタイム映像及び音声、静止画像、及びテキスト情報のようなマルチメディア情報の送信を支援し、上記マルチメディア送信のために、音声データだけではなく映像データをブロードキャストチャネルを介して同時に提供することができる。
【０００５】
図１は、一般的な移動通信システム、特に、ＢＷＡ通信システムにおけるＭＢＳシステムのアーキテクチャを概略的に示す図である。
【０００６】
図１を参照すると、複数のセル（cell）は、その地域的な位置に従ってブロードキャストサービスエリアを定義するための１つの論理的なグループに含まれる。上記論理的グループを、“ＭＢＳゾーン（zone）”と呼ぶ。すなわち、セル１０１、１０３、１０５、１０７、１０９、及び１１１は、一つのＭＢＳゾーンを構成し、ＭＢＳゾーンの識別のための識別子（identifier）‘１’を有し、セル１３１、１３３、１３５、１３７、１３９、１４１、及び１４３は、他のＭＢＳゾーンを構成し、ＭＢＳゾーン識別子‘２'を有する。
【０００７】
ＭＢＳゾーンの各々に含まれたＢＳは、同一の周波数帯域を用いて同一の時間で同一のブロードキャストをＭＳへマルチキャスト／ブロードキャストし、各ＭＢＳゾーンに位置したＭＳは、同一の方式で上記ブロードキャストを受信する。一方、ＭＢＳゾーンを管理するサーバ、すなわち、ＭＢＳサーバ（図示せず）は、ＭＢＳゾーンに一対一にマッチングされ、ブロードキャストサービスリストを管理する。
【０００８】
例えば、ＭＳ１７０がＭＢＳゾーン識別子‘１’を有するセル１０９で最初に第１のブロードキャストサービスを受信するためには、第１のブロードキャストサービスに対するＭＢＳ接続設定をセル１０９（ＢＳ１０９）と遂行しなければならない。ＭＢＳ接続設定は、ＭＳ１７０がＢＳ１０９と動的サービス追加要求（Dynamic Service Addition_REQuest；以下、“ＤＳＡ_ＲＥＱ”と称する）及び動的サービス追加応答（Dynamic Service Addition_ReSPonse；以下、“ＤＳＡ_ＲＳＰと称する）メッセージの送受信を通じてなされる。ＭＳ１７０が第１のブロードキャストサービスに対するＭＢＳ接続設定を完了した後に、ＭＢＳゾーン内の他のＢＳへ移動する場合には、第１のブロードキャストサービスに対するＭＢＳ接続設定を再遂行する必要がない。これは、同一のＭＢＳゾーンで提供されるブロードキャストサービスが同一の接続識別子（Connection Identifier；以下、“ＣＩＤ”と称する）及び同一のフレーム構成を有するためである。
【０００９】
一方、ＭＳ１７０が現在のセル１０９から相互に異なるＭＢＳゾーン識別子を有する他のセル１３３へ移動すると仮定する。ＭＢＳゾーン識別子‘１’を有するエリア及びＭＢＳゾーン識別子‘２’を有するエリアで共通に提供される第１のブロードキャストサービスのＣＩＤは、ＭＢＳゾーンの各々で相互に異なる値を有する。また、フレーム構成がＭＢＳゾーンの各々で相互に異なる。従って、相互に異なるＭＢＳゾーン識別子を有する他のセルへ移動する場合には、ＭＳ１７０は、ＭＢＳ接続設定を再遂行しなければならない。
【００１０】
ここで、ＭＢＳ接続設定は、ＭＳ１７０が受信することを希望するブロードキャストサービスの数だけ遂行されなければならない。言い換えれば、第１のブロードキャストサービスに対する接続設定を完了した後に、第２のブロードキャストサービスを受信するためには、ＭＳ１７０は、第２のブロードキャストサービスに対する接続設定を再遂行しなければならない。
【００１１】
ＭＢＳゾーンの観点から、ブロードキャストサービスは、次のように分類することができる。
【００１２】
− 多重ＢＳブロードキャストサービス：多重ＢＳブロードキャストサービスは、複数のＢＳを含むＭＢＳゾーンで遂行されるブロードキャストサービスを意味する。ＭＢＳゾーン内のブロードキャストサービスの場合には、同一のブロードキャストメッセージは、ＭＢＳゾーン内のすべてのＢＳが送信したダウンリンクフレームの周波数及び時間領域で同一の領域に位置／送信され、各ブロードキャストサービスの接続、すなわち、ＭＢＳ接続に使用されるマルチキャストＣＩＤも同一の値が割り当てられる。すなわち、ＭＢＳゾーン内のすべてのＢＳが同一のブロードキャストサービスを同一の方式で提供することを意味する。例えば、第１のＢＳがマルチキャストするブロードキャストサービスＡに割り当てられるＣＩＤ Ｂの場合には、ブロードキャストサービスＡは、同一のＭＢＳゾーン内の第２のＢＳにも存在することがあり、ブロードキャストサービスに割り当てられるＣＩＤは、第１のＢＳで使用されるＣＩＤ Ｂと同一である。
【００１３】
また、ブロードキャストサービスＡの実際のデータを送信するためのダウンリンクフレーム内のＭＢＳゾーンは、すべてのＢＳからのダウンリンクフレーム領域で、同一の位置、同一のサイズ、及び同一の時間帯を有する（信号に対する物理的なマクロダイバーシティ効果を得るために）。
【００１４】
− 単一ＢＳブロードキャストサービス：単一ＢＳブロードキャストサービスは、多重ＢＳブロードキャストサービスとは異なり、一つのＢＳのみで有効なブロードキャストサービスを意味する。これは、１つのＢＳ内で特定の地点（Hot Spot）の形態で提供されるブロードキャストサービスを意味する。このとき、ブロードキャストサービスに割り当てられるＣＩＤは、多重ＢＳブロードキャストサービスとは異なり、１つのＢＳで管理されるトランスポート（Transport）ＣＩＤ範囲内で一つが割り当てられる。トランスポートＣＩＤは、多重ＢＳブロードキャストサービスのマルチキャストＣＩＤとは異なり、該当ＢＳ内のみでユニーク（unique）である。
【００１５】
上記ＭＢＳ接続に使用されるＣＩＤを、下記の＜表１＞に示す。
【００１６】
【表１】
2008538479.tif 000003
【００１７】
＜表１＞に示すＣＩＤは、次のような用途及び機能を有する。
【００１８】
− 初期レンジングＣＩＤ：これは、第１の接続識別子（Primary CID）及び基本接続識別子（Basic CID）の割当てを受けるために、ＭＳがＢＳへ送信するレンジング要求（ＲＮＧ_ＲＥＱ）メッセージのためのＣＩＤである。すべてのＭＳは、初期レンジングＣＩＤのＣＩＤ値‘０x００００’を認識しなければならない。このとき、ＭＳは、ＢＳとの交渉（negotiation）過程の間に、ＲＮＧ_ＲＥＱメッセージを用いて自身のメディアアクセス制御（Medium Access Control；ＭＡＣ）アドレスをＢＳへ通知する。従って、ＢＳは、ＭＳのＭＡＣアドレスをＭＳを示すＣＩＤ、すなわち、第１の管理ＣＩＤ（Primary Management CID）及び基本ＣＩＤにマッピング（Mapping）する。
【００１９】
− 第１の管理ＣＩＤ：これは、ＭＳとＢＳとの間で必須的に遂行されなければならないＭＡＣ管理メッセージの処理のために使用されるＣＩＤであり、上記第１の管理ＣＩＤは、ＭＳを識別するために使用される。＜表１＞に示すように、１つのＢＳは、ｍ個のＭＳを管理して識別することができる。上記第１の管理ＣＩＤは、ＭＳがレンジング応答（ＲＮＧ_ＲＳＰ）メッセージを受信することによって認識する。
【００２０】
− 基本ＣＩＤ：これは、ＭＳとＢＳとの間で選択的に遂行されなければならないＭＡＣ管理メッセージの処理のために使用されるＣＩＤであり、また、基本ＣＩＤは、ＭＳを識別するために使用される。＜表１＞に示すように、基本ＣＩＤの数は、第１の管理ＣＩＤの数と同一のｍ個である。また、基本ＣＩＤは、第１の管理ＣＩＤと同様に、ＭＳがＲＮＧ_ＲＳＰメッセージを受信することによって認識する。
【００２１】
− ブロードキャストＣＩＤ：これは、すべてのＭＳが受信して処理するメッセージを示すＣＩＤであり、すべてのＭＳがすでに認識しているＣＩＤ値‘０ｘＦＦＦＦ’を有する。
【００２２】
− マルチキャストポーリングＣＩＤ：これは、マルチキャストポーリング割当て要求（Multicast Polling Allocation Request；ＭＣＡ_ＲＥＱ）メッセージによって割り当てられるか、または解除され、マルチキャストポーリングサービスの間に使用される。
【００２３】
− トランスポートＣＩＤ、第２の管理ＣＩＤ：トランスポートＣＩＤは、一般的なデータトラフィックの送受信のために使用されるＣＩＤであり、ＢＳがイニシエートした（BS-Initiated）ＤＳＡ_ＲＥＱメッセージ及びＭＳがイニシエートした（MS-Initiated）ＤＳＡ_ＲＥＱメッセージに応じてＢＳから受信されたＤＳＡ_ＲＳＰメッセージに含まれる。第２の管理ＣＩＤは、簡易網管理プロトコル（Simple Network Management Protocol；ＳＮＭＰ）／一般ファイル転送プロトコル（Trivial File Transfer Protocol；ＴＦＴＰ）のような上位層のための管理接続ＣＩＤを意味し、ＭＳに割り当てられる登録応答（ＲＥＧ_ＲＳＰ）メッセージに含まれる。トランスポートＣＩＤ及び第２の管理ＣＩＤの個数は、２ｍ＋１〜０ｘＦＥ９Ｆの範囲内に収まる。
【００２４】
− アダプティブアンテナシステム（ＡＡＳ）初期レンジングＣＩＤ：これは、初期レンジングがアダプティブアンテナシステムで遂行される場合に必要とされるＣＩＤである。
【００２５】
−ノーマルモードマルチキャストＣＩＤ：これは、スリープモード又はアイドルモードでないＢＳとのネットワーク登録過程を完了した後に正常に動作しているＭＳのみが受信して処理するマルチキャストメッセージを示すＣＩＤであり、すべてのＭＳがすでに認識しているＣＩＤ値‘０ｘＦＦＦＢ’を有する。
【００２６】
− スリープモードマルチキャストＣＩＤ：スリープモードでのＭＳのみが処理するマルチキャストメッセージを示すＣＩＤであり、すべてのＭＳがすでに認識しているＣＩＤ値‘０ｘＦＦＦＣ’を有する。
【００２７】
− アイドルモードマルチキャストＣＩＤ：アイドルモードでのＭＳのみが処理するマルチキャストメッセージを示すＣＩＤであり、すべてのＭＳがすでに認識しているＣＩＤ値‘０ｘＦＦＦＤ’を有する。
【００２８】
− パッディングＣＩＤ：これは、アップリンク／ダウンリンクフレームで割り当てられない（バースト）領域を通して送信されたダミーメッセージを示すＣＩＤであり、すべてのＭＳがすでに認識しているＣＩＤ値‘０ｘＦＦＦＥ’を有する。
【００２９】
− マルチキャストＣＩＤ：これは、ブロードキャストメッセージをマルチキャストするために使用されるＣＩＤである。すなわち、これは、ＢＳとのＭＢＳ接続を他の接続と区別するために使用されるＣＩＤである。同一のＭＢＳゾーン内で提供されるブロードキャストサービスは、同一のマルチキャストＣＩＤを有する。例えば、ＭＢＳゾーン内のＢＳ Ａが特定のＭＢＳサービスに対するマルチキャストＣＩＤとして‘０ｘＦＦＡ０’を割り当てる場合には、同一のＭＢＳゾーン内の他のＢＳも特定のＭＢＳブロードキャストに対するマルチキャストＣＩＤとして‘０ｘＦＦＡ０’を割り当てなければならない。ここで、マルチキャストＣＩＤの総個数は、９５個である。
【００３０】
一般的に、ＣＩＤは、１６ビットのサイズを有し、接続を識別するためにＭＡＣフレームのヘッダーに使用される。また、ＣＩＤは、トラフィック指示メッセージ内のＣＩＤのように、ＭＡＣサービスデータユニット（Service Data Unit；ＳＤＵ）に使用される。
【００３１】
図２は、従来のＢＷＡ通信システムにおけるブロードキャストサービス接続手続きを示すシグナリング図である。
【００３２】
図２を参照すると、まず、ＭＳ２００は、ステップ２０２で、ＢＳ２５０を介して受信することができるブロードキャストサービスを検出するために、ＭＢＳサーバ２８０からブロードキャストされるブロードキャストサービスリストを検索する。ブロードキャストサービスリストは、ＭＳ２００が受信することができるブロードキャストサービスに関する情報を含む。
【００３３】
ＭＳ２００は、ステップ２１１で、ＭＢＳ接続を設定するために、ＢＳ２５０へＤＳＡ_ＲＥＱメッセージを送信する。ＤＳＡ_ＲＥＱメッセージのフォーマットを、下記の＜表２＞に示す。
【００３４】
【表２】
2008538479.tif 000004
【００３５】
ＤＳＡ_ＲＥＱメッセージにおいて、トランザクションＩＤフィールドは、ＭＳが複数回の動的サービス関連過程を遂行する場合に送受信されるＤＳｘ_ｘｘｘメッセージを識別するための特定の値を示す。タイプ／長さ／値（Type/Length/Value；ＴＬＶ）がエンコーディングされた情報フィールドは、選択的な情報を含む。例えば、ＴＬＶがエンコーディングされた情報フィールドは、ＭＳ２００が要求するブロードキャストサービスに関する情報を含む。
【００３６】
ここで、ＭＳ２００は、ＭＢＳ接続を要求するか、又は一般的なサービス接続を要求するかを示す情報をＴＬＶがエンコーディングされた情報フィールドに含み、ＤＳＡ_ＲＥＱメッセージとともに、ＴＬＶがエンコーディングされた情報フィールドをＢＳ２５０へ送信する。上記指示情報を、下記の＜表３＞に示す。
【００３７】
【表３】
2008538479.tif 000005
【００３８】
＜表３＞に示すように、値‘０’を有するＤＳＡ_ＲＥＱメッセージを受信した場合には、ＢＳ２５０は、ＭＳ２００がＭＢＳ接続でない一般サービス接続を要求する。値‘１’（単一ＢＳブロードキャストサービス）又は値‘２’（多重ＢＳブロードキャストサービス）を有するＤＳＡ_ＲＥＱメッセージを受信した場合には、ＢＳ２５０は、ＭＳ２００がブロードキャストサービスを受信するための接続設定を要求することを認識する。また、ＤＳＡ_ＲＥＱメッセージは、ＢＳ２５０からＭＳ２００へ送信されることもある。言い換えれば、接続設定のために、ＭＳ２００は、ＤＳＡ_ＲＥＱメッセージをＢＳ２５０へ送信することができ、または、ＢＳ２５０は、ＤＳＡ_ＲＥＱメッセージをＭＳ２００へ送信することができる。ＢＳ２５０がＤＳＡ_ＲＥＱメッセージをＭＳ２００へ送信する場合には、ＢＳ２５０が送信したＤＳＡ_ＲＥＱメッセージは、下記の＜表７＞を参照して説明されるＤＳＡ_ＲＳＰメッセージに含まれたＴＬＶエンコーディングフォーマットで該当ブロードキャストサービスに対するＱｏＳパラメータ及びブロードキャストサービス識別子（すなわち、マルチキャストＣＩＤ又はトランスポートＣＩＤ）を含む。ＢＳ２５０が単一のＢＳブロードキャストサービス又は多重ＢＳブロードキャストサービスに対する要求をＭＳ２００へ送信することができるとしても、ＭＳ２００が単一のＢＳブロードキャストサービス又は多重ＢＳブロードキャストサービスに対する要求をＢＳ２５０へ送信すると仮定する。
【００３９】
従って、ＢＳ２５０は、ステップ２１３で、動的サービスＸ_受信（Dynamic Service X_ReceiVeD；ＤＳＸ_ＲＶＤ）メッセージをＭＳ２００へ送信する。ＤＳＸ_ＲＶＤメッセージは、ＢＳ２５０がＤＳＡ_ＲＥＱメッセージのようなＤＳＡ関連メッセージを正常に受信し、受信されたメッセージを処理していることをＭＳ２００へ通知するために使用される。
【００４０】
【表４】
2008538479.tif 000006
【００４１】
＜表４＞において、トランザクションＩＤは、ＤＳＡ_ＲＥＱメッセージで使用された値を使用し、ＭＳ２００は、ＤＳＸ_ＲＶＤメッセージがＤＳＡ_ＲＥＱメッセージに対する応答であることを認識することができる。
【００４２】
この後、ＢＳ２５０は、ステップ２１５で、ＭＳ２００からのブロードキャストサービス接続要求に応じて、＜表５＞に示すＤＳＡ_ＲＳＰメッセージを送信する。
【００４３】
【表５】
2008538479.tif 000007
【００４４】
＜表５＞において、確認コード（ＣＣ）は、下記の＜表６＞に示すフォーマットを有し、ＤＳＡ_ＲＥＱメッセージに対する応答情報を含む。
【００４５】
【表６】
2008538479.tif 000008
【００４６】
＜表６＞において、ＢＳ２５０は、ＤＳＡ_ＲＥＱメッセージに対する肯定的応答として確認コード（ＣＣ）＝‘０’（ＯＫ／成功）を有するＤＳＡ_ＲＳＰメッセージを送信する。この場合には、ＤＳＡ_ＲＳＰメッセージは、下記の＜表７＞に示すＴＬＶエンコーディングフォーマットで該当ブロードキャストサービスに対するＱｏＳパラメータ及びブロードキャストサービス識別子（すなわち、マルチキャストＣＩＤ又はトランスポートＣＩＤ）を含む。一方、上記コード値‘０’を除いた他のコード値は、本発明と直接関連がないので、その説明を省略する。
【００４７】
【表７】
2008538479.tif 000009
【００４８】
もしＭＳ２００が一般的な接続要求に対応するＤＳＡ_ＲＥＱメッセージを送信する場合には、＜表７＞のＣＩＤは、一般的な接続要求に該当するサービスに対するＣＩＤとならなければならない。
【００４９】
ＤＳＡ_ＲＳＰメッセージを受信した場合には、ＭＳ２００は、ステップ２１７で、下記の＜表８＞に示すＤＳＡ肯定的応答（ＤＳＡ_ＡＣＫ）メッセージをＢＳ２５０へ送信する。
【００５０】
【表８】
2008538479.tif 000010
【００５１】
ステップ２１７まで一つのブロードキャストサービスに対するＣＩＤを割り当てられた後に、ＭＳ２００は、他のブロードキャストサービスに対するＣＩＤの割当てを受けるために、ステップ２１９乃至ステップ２２５又はステップ２２７乃至ステップ２３９を遂行する。
【００５２】
上述したように、ＭＳがＤＳＡ_ＲＥＱメッセージをＢＳへ送信し、ＢＳがＭＳへＤＳＡ_ＲＳＰメッセージを送信する手続きによって、一つのブロードキャストサービス接続のみを設定することがわかる。言い換えれば、複数のブロードキャストサービス接続を設定するために、ＭＳは、ＤＳＡ_ＲＥＱメッセージを複数回送信する。ＭＳからＤＳＡ_ＲＥＱメッセージを受信した場合には、ＢＳは、すべてのＤＳＡ_ＲＥＱメッセージに応じたＤＳＡ_ＲＳＰメッセージをＭＳへ送信しなければならない。
【００５３】
図３は、ＭＢＳゾーン情報を含む一般的なダウンリンクフレーム構成を概略的に示す図である。
【００５４】
図３を参照すると、ダウンリンクフレームは、プリアンブル領域３０１と、ダウンリンクＭＡＰ（ＤＬ-ＭＡＰ）領域３０３と、ＭＢＳ関連領域３０５、３０７、３０９、３１１、３１３、及び３１５を含む。プリアンブル領域３０１は、ＢＳとＭＳとの間の相互同期を獲得するための同期信号、すなわち、プリアンブルシーケンスを送信するために使用される。ＤＬ-ＭＡＰ領域３０３は、ＤＬ-ＭＡＰメッセージを送信するために使用され、ＭＢＳを提供する場合には、ＭＢＳ_ＭＡＰ情報要素（Information Element；以下、“ＩＥ”と称する）３０５を含む。ＭＢＳ_ＭＡＰ_ＩＥ領域３０５は、ＭＢＳフィールドをデコーディングするために必要とされる情報を含む。ＭＢＳ_ＭＡＰ_ＩＥ領域３０５のフォーマットを、下記の＜表９＞に示す。
【００５５】
【表９Ａ】
2008538479.tif 000011
【表９Ｂ】
2008538479.tif 000012
【００５６】
＜表９＞において、ＭＢＳゾーン識別子は、該当ＭＢＳゾーンの識別子を示し、ＯＦＤＭＡシンボルオフセットは、ＭＢＳフィールドの中でＭＢＳ-ＭＡＰメッセージの開始オフセットを示す。＜表９＞において、ＤＩＵＣ変更指示の次の情報は、ＭＢＳフィールドの中でＭＢＳ-ＭＡＰメッセージのサイズ情報及びＭＢＳ-ＭＡＰメッセージをデコーディングするために必要とされる情報を示す。
【００５７】
一方、上記ＭＢＳフィールドは、ＭＢＳ_Ｄａｔａ_ＩＥ３０９を含むＭＢＳ-ＭＡＰメッセージ３０７と、ＭＢＳデータバーストを送信するために使用されるフィールド３１１、３１３、及び３１５とを備える。
【００５８】
ＭＢＳ-ＭＡＰメッセージ３０７は、ＭＢＳサービスを受信しているＭＳがＭＢＳデータバーストを受信する位置情報と上記データバーストをデコーディングするために必要とされる情報とを含む。ＭＢＳ-ＭＡＰメッセージのフォーマットを、下記の＜表１０＞に示す。
【００５９】
【表１０】
2008538479.tif 000013
【００６０】
＜表１０＞において、ＭＢＳ-ＭＡＰメッセージは、６バイトのＭＡＣジェネリック（generic）ヘッダーの他に、複数のＩＥを含む。すなわち、ＭＢＳ-ＭＡＰメッセージは、送信メッセージのタイプを示す‘マネージメントメッセージタイプ’と、‘フレーム番号’と、ＭＢＳデータバースト情報とを含む。フレーム番号は、ＤＬ-ＭＡＰのフレーム番号と同一であり、‘ＭＢＳ_ＤＩＵＣチェンジカウント’は、現在のＭＢＳデータバーストプロフィールが以前のＭＢＳデータバーストプロフィールと同一であるか否かを示す。ＭＢＳ_ＤＩＵＣチェンジカウント値が変更される場合には、ＭＳは、ＴＬＶ形式でＭＢＳ-ＭＡＰメッセージに含まれているダウンリンクバーストプロフィール情報を受信しなければならない。ダウンリンクバーストプロフィール情報がＭＢＳ-ＭＡＰメッセージに含まれていない場合には、ＭＳは、次のＤＣＤメッセージの受信を通してダウンリンクバーストプロフィール情報を受信することができる。ＭＢＳ_ＤＡＴＡ_ＩＥ及びＭＢＳ_ＤＡＴＡ_Ｔｉｍｅ_Ｄｉｖｅｒｓｉｔｙ_ＩＥは、ＭＳが受信するＭＢＳデータバースト情報を示す。すなわち、ＭＢＳ_ＤＡＴＡ_ＩＥは、ＭＢＳデータバーストを送信するために使用されるフィールド３１１、３１３、及び３１５に関する情報を示す。ＭＢＳ_ＤＡＴＡ_Ｔｉｍｅ_Ｄｉｖｅｒｓｉｔｙ_ＩＥは、ＭＢＳ_ＤＡＴＡ_ＩＥ３０９と類似しており、ハイブリッド自動再送要求（Ｈ-ＡＲＱ）方式を支援するＭＳに対するＭＢＳデータが存在する場合にＭＢＳデータバースト情報を含む。
【００６１】
ＭＢＳ_ＤＡＴＡ_ＩＥ３０９のフォーマットを、下記の＜表１１＞に示す。
【００６２】
【表１１Ａ】
2008538479.tif 000014
【表１１Ｂ】
2008538479.tif 000015
【００６３】
＜表１１＞において、ＭＢＳ_ＤＡＴＡ_ＩＥは、次のＭＢＳフレーム内のＭＢＳ-ＭＡＰメッセージのサイズが変更されたか否かを示す‘ネクストＭＢＳ ＭＡＰ変更指示’フィールドと、上記ＩＥ情報にマッピングされるマルチキャスト識別子情報を示す‘マルチキャストＣＩＤ’フィールドと、ＭＢＳデータバーストフィールドの開始オフセットを示す‘ＯＦＤＭＡシンボルオフセット’及び‘サブチャネルオフセット’フィールドと、ＭＢＳデータバーストフィールドのサイズを示す‘ＯＦＤＭＡシンボルの個数’及び‘サブチャネルの個数’フィールドと、ＭＢＳデータバーストフィールドをデコーディングするために必要とされる‘反復符号化指示’フィールドと、次のＭＢＳフレーム内のＭＢＳ-ＭＡＰメッセージのオフセットを示す‘ネクストＭＢＳフレームオフセット’及び‘ネクストＭＢＳ ＯＦＤＭＡシンボルオフセット’フィールドと、ネクストＭＢＳ ＭＡＰ変更指示フィールドが‘１’に設定される場合の、次のＭＢＳフレーム内のＭＢＳ-ＭＡＰメッセージのサイズを示す‘ネクストＭＢＳ ＯＦＤＭＡシンボルの個数’及び‘ネクストＭＢＳ ＯＦＤＭＡサブチャネルの個数’フィールドとを含む。
【００６４】
上述したように、従来のＢＷＡ通信システムにおいて、ＭＳは、所望のブロードキャストサービスに対する要求をＢＳへ送信する。例えば、ＭＳは、放送局Ａのブロードキャストサービスを要求することもあり、放送局Ｂのブロードキャストサービスを要求することもある。しかしながら、放送局Ａ又は放送局Ｂがコンテンツ（例えば、ドラマ、スポーツ、映画など）の多様性を提供するとしても、ＭＳは、コンテンツの各々を別々に要求する方法が全くない。
【００６５】
また、ブロードキャストサービスを識別するためのマルチキャストＣＩＤの可能な総個数は、９５個である。従って、もしブロードキャストサービス数が９５個を超過する場合には、超過したブロードキャストサービスにマルチキャストＣＩＤを割り当てることは不可能である。その上、マルチキャストＣＩＤがコンテンツの単位で割り当てられる場合には、マルチキャストＣＩＤ数の不足は、相当数であり、リソース消費及び時間遅延は、ＤＳＡ_ＲＥＱ及びＤＳＡ_ＲＳＰメッセージの送受信回数の増加によって増加する。従って、ブロードキャストサービス及びコンテンツを識別するためのＩＤの数を拡張し、リソース消費及び時間遅延を最小化することができる方法に対する必要性が高まっている。
【発明の開示】
【発明が解決しようとする課題】
【００６６】
上記背景に鑑みて、本発明の目的は、移動通信システムにおけるブロードキャストサービス識別子の数を拡張するためのシステム及び方法を提供することにある。
【００６７】
本発明の他の目的は、移動通信システムにおけるコンテンツを識別することができるシステム及び方法を提供することにある。
【００６８】
本発明のさらなる目的は、移動通信システムにおけるリソース消費及び時間遅延を最小化するためのブロードキャストサービス接続設定方法及びそのシステムを提供することにある。
【課題を解決するための手段】
【００６９】
上記のような目的を達成するために、本発明の第１の特徴によれば、マルチキャスト及びブロードキャストサービス（ＭＢＳ）を支援する移動通信システムにおける移動局（ＭＳ）が上記ＭＢＳを受信するためのブロードキャストサービス接続設定方法は、特定のブロードキャストサービスに対する接続設定要求を基地局（ＢＳ）へ送信するステップと、上記ＢＳから上記特定のブロードキャストサービスにマッピングされる第１の識別子及び少なくとも一つのコンテンツブロードキャストに個別にマッピングされる第２の識別子を割り当てられるステップとを含むことを特徴とする。
【００７０】
本発明の他の特徴によれば、マルチキャスト及びブロードキャストサービス（ＭＢＳ）を支援する広帯域無線接続（ＢＷＡ）通信システムにおける基地局（ＢＳ）が移動局（ＭＳ）へ上記ＭＢＳを提供するためのブロードキャストサービス接続設定方法は、上記ＭＳから特定のブロードキャストサービスに対する接続設定要求を受信するステップと、上記特定のブロードキャストサービスにマッピングされる第１の識別子及び少なくとも一つのコンテンツブロードキャストに個別にマッピングされる第２の識別子を上記ＭＳに割り当てるステップとを含むことを特徴とする。
【００７１】
本発明のさらに他の特徴によれば、マルチキャスト及びブロードキャストサービス（ＭＢＳ）を支援する移動通信システムにおける移動局（ＭＳ）と基地局（ＢＳ）との間で上記ＭＢＳを提供するためのブロードキャストサービス接続設定方法は、上記ＭＳが上記ＢＳへ特定のブロードキャストサービスに対する接続設定要求を送信するステップと、上記ＢＳが上記特定のブロードキャストサービスにマッピングされる第１の識別子及び少なくとも一つのコンテンツブロードキャストに個別にマッピングされる第２の識別子を上記ＭＳに割り当てるステップと、上記ＭＳが上記割り当てられた識別子にマッピングされるＭＢＳを受信するステップとを含むことを特徴とする。
【００７２】
本発明のさらなる他の特徴によれば、マルチキャスト及びブロードキャストサービス（ＭＢＳ）を支援する移動通信システムにおける上記ＭＢＳを提供するためのブロードキャストサービス接続設定システムは、特定のブロードキャストサービス及び複数のコンテンツブロードキャストに対する接続設定要求を送信し、上記特定のブロードキャストサービスにマッピングされる第１の識別子を受信する移動局（ＭＳ）と、上記特定のブロードキャストサービス及び上記特定のブロードキャストサービスで提供される複数のコンテンツブロードキャストに対する接続設定要求を受信した場合には、上記特定のブロードキャストサービスにマッピングされる第１の識別子及び少なくとも一つのコンテンツブロードキャストにマッピングされる第２の識別子を割り当てる基地局（ＢＳ）とを含むことを特徴とする。
【００７３】
本発明のさらにまた他の特徴によれば、マルチキャスト及びブロードキャストサービス（ＭＢＳ）を支援する広帯域無線接続（ＢＷＡ）通信システムにおける上記ＭＢＳを提供するためのブロードキャストサービス接続設定方法は、基地局（ＢＳ）が特定のブロードキャストサービス及び上記特定のブロードキャストサービスで提供される複数のコンテンツブロードキャストに対する接続を設定するために、ブロードキャストサービス識別子タイプ／長さ／値（ＴＬＶ）を有する接続設定要求メッセージを基地局（ＢＳ）へ送信するステップと、上記ＭＳが上記接続設定要求メッセージに対する応答を上記ＢＳへ送信するステップとを含むことを特徴とする。
【発明の効果】
【００７４】
本発明は、ＢＳとＭＳとの間のＭＢＳ接続の間に、複数のブロードキャストサービス接続を設定することにより、リソース消費及び時間遅延を最小化することができる。また、本発明は、論理チャネルＩＤを新たに提供することにより、複数のコンテンツブロードキャストに対するＩＤの割当てを容易に行うことにより、限定されたマルチキャストＣＩＤの個数を拡張させることができる。
【発明を実施するための最良の形態】
【００７５】
以下、本発明の好適な一実施形態を、添付図面を参照しつつ詳細に説明する。下記の説明において、本発明の要旨のみを明瞭にする目的で、関連した公知の機能又は構成に関する具体的な説明は省略する。
【００７６】
本発明は、移動通信システムにおける移動局（Mobile Station；以下、“ＭＳ”と称する）が基地局（base station；以下、“ＢＳ”と称する）へ複数のブロードキャストサービスに対する接続設定要求を送信し、ＢＳは、ＭＳへ複数のブロードキャストサービスに独自にマッピングされる接続識別子（Connection Identifier；以下、“ＣＩＤ”と称する）を割り当てる方式を提案する。ここで、“ブロードキャストサービス”とは、それぞれの放送局により提供されるブロードキャストサービス、又は、放送局により提供されるコンテンツブロードキャストサービスを意味する。
【００７７】
すなわち、本発明は、１回の手続きで複数のブロードキャストサービスに対する接続設定を要求する方式を提案し、複数のブロードキャストサービスに対するＣＩＤを割り当てる方法を提案する。また、本発明は、複数のブロードキャストサービスＣＩＤを割り当てるためにマルチキャストＣＩＤの個数を拡張することができる方式を提案する。このために、本発明は、下記の４つの実施形態を提供する。
【００７８】
本発明は、１つのＤＳＡ_ＲＥＱメッセージを通じて複数のブロードキャストサービスに対する要求をＢＳへ送信するために、ブロードキャストチャネルＩＤのための‘複数のブロードキャストサービスＩＤタイプ／長さ／値（ＴＬＶ）エンコーディング’を新たに定義する。複数のブロードキャストサービスＩＤ ＴＬＶエンコーディングは、ＭＳがブロードキャストサービス接続に対する要求を送信し、これに対する応答を受信する場合には、ＭＳが要求した複数のブロードキャストサービスを示すために動的サービス追加要求（ＤＳＡ_ＲＥＱ）メッセージのＴＬＶが、エンコーディングされた情報フィールドに含まれる。複数のブロードキャストサービスＩＤ ＴＬＶエンコーディングは、ＭＳが要求するブロードキャストサービスのうちの少なくとも１つに関する情報を含む。
【００７９】
しかしながら、ＭＳが要求するブロードキャストサービスを示す方法は、ブロードキャストサービスを示すレベル又はブロードキャストサービスプロバイダに従って多様な方式で実現されることができる。従って、複数のブロードキャストサービスＩＤ ＴＬＶエンコーディングで使用されるパラメータは、本発明とは関連がないので、その詳細な説明を省略する。
【００８０】
下記の＜表１２＞は、ＤＳＡ_ＲＥＱメッセージに含まれた複数のブロードキャストサービスＩＤ ＴＬＶエンコーディングのフォーマットを示す。
【００８１】
【表１２】
2008538479.tif 000016
【００８２】
複数のブロードキャストサービスを示すパラメータは、下記の＜表１３＞に示す複数のブロードキャストサービスＩＤ ＴＬＶエンコーディングに含まれる。
【００８３】
【表１３】
2008538479.tif 000017
【００８４】
＜表１３＞は、複数のブロードキャストサービスＩＤ ＴＬＶエンコーディングで使用されるパラメータの一例を示す。＜表１２＞のブロードキャストサービスＩＤ ＴＬＶは、ブロードキャストサービスを提供するＢＳのＩＰアドレス及びポート（port）番号を含む。＜表１２＞のブロードキャストサービスＩＤ ＴＬＶを含むＤＳＡ_ＲＥＱメッセージを受信した場合には、ＢＳは、ＭＳが要求する複数のブロードキャストサービスの各々に対するＭＢＳ接続を設定する。
【００８５】
また、本発明は、論理チャネル識別子（ＩＤ）を新たに定義する。論理チャネルＩＤは、複数のコンテンツを識別することができるＩＤとして使用されてもよい。また、論理チャネルＩＤは、マルチキャストＣＩＤとの組合せで拡張され、ブロードキャストサービス又はコンテンツを識別するために使用されてもよい。例えば、論理チャネルＩＤは、０〜２５５の総２５６個の値を有することができ、動的サービス追加要求（ＤＳＡ_ＲＥＱ）メッセージ又はＤＳＡ_応答（ＤＳＡ_ＲＳＰ）メッセージに含まれる。論理チャネルＩＤは、上記メッセージのＴＬＶがエンコーディングされた情報フィールドに含まれることができ、そのフォーマットを、下記の＜表１４＞に示す。
【００８６】
【表１４】
2008538479.tif 000018
【００８７】
ＭＳが複数のブロードキャストサービスＩＤ ＴＬＶエンコーディングを有するＤＳＡ_ＲＥＱメッセージをＢＳへ送信する場合には、ＢＳは、複数の論理チャネルＩＤに関する情報を有するＤＳＡ_ＲＳＰメッセージをＭＳへ送信する。ここで、＜表１４＞に示すように、一例として、論理チャネルＩＤの個数が２５６個であるとしても、論理チャネルＩＤの個数は、ＢＳで提供されるブロードキャストサービスの個数に従って拡張可能であることに留意すべきである。
【００８８】
例えば、本発明によるＭＳは、１つのＣＩＤの割当てを要求することもあり、複数のコンテンツにマッピングされる複数のＩＤの割当てまで要求することもある。すなわち、ＭＳは、第１の放送局のＣＩＤ、すなわち、トランスポートＣＩＤ又はマルチキャストＣＩＤの割当てだけを要求することもあり、第１の放送局のＣＩＤだけではなく、放送局で提供されるコンテンツＡ、Ｂ、及びＣにマッピングされる複数のＩＤの割当てまで要求することもある。
【００８９】
従って、ＢＳは、トランスポートＣＩＤ又はマルチキャストＣＩＤだけを含んで、ＤＳＡ_ＲＳＰメッセージをＭＳへ送信することもあり、マルチキャストＣＩＤ及びコンテンツＡ、Ｂ、及びＣにマッピングされる論理チャネルＩＤとともに、ＤＳＡ_ＲＳＰメッセージをＭＳへ送信することもある。また、ＢＳは、マルチキャストＣＩＤ及び放送局で提供されるコンテンツの最大２５６個のＩＤとともに、ＤＳＡ_ＲＳＰメッセージをＭＳへ送信することもある。
【００９０】
ここで、第２の放送局がコンテンツＡ、Ｂ、及びＣと同一のコンテンツをブロードキャストする場合には、第２の放送局のコンテンツＡ、Ｂ、及びＣ にマッピングされる論理チャネルＩＤは、第１の放送局のコンテンツＡ、Ｂ、及びＣにマッピングされる論理チャネルＩＤと同一であってもよいし、異なってもよい。
【００９１】
図４は、本発明によるＢＷＡ通信システムにおけるブロードキャストサービス接続手続きを示すシグナリング図である。
【００９２】
図４を参照すると、ＭＳ４００は、ステップ４０２で、ＢＳ４５０を介して受信することができるブロードキャストサービスを検出するために、ＭＢＳサーバ４８０からブロードキャストされるブロードキャストサービスリストを検索する。ブロードキャストサービスリストは、ブロードキャストサービスを受信するために、ＭＳ４００が必要とする情報を含む。
【００９３】
ＭＳ４００は、ステップ４１１で、ＭＢＳ接続設定を要求するために、ＤＳＡ_ＲＥＱメッセージをＢＳ４５０へ送信する。ＤＳＡ_ＲＥＱメッセージの場合には、従来のＤＳＡ_ＲＥＱメッセージ及び本発明で新たに提案されるＤＳＡ_ＲＥＱメッセージのうちのどちらかを使用すればよい。すなわち、本発明で新たに提案されるＤＳＡ_ＲＥＱメッセージとは、該当放送局で提供されるコンテンツも接続を要求することができるメッセージを意味する。接続要求情報は、ＤＳＡ_ＲＥＱメッセージのＴＬＶがエンコーディングされた情報フィールドに含まれる。
【００９４】
ＤＳＡ_ＲＥＱメッセージを受信した場合には、ＢＳ４５０は、ＭＳ４００がブロードキャストサービスを受信するための接続設定を要求することを認識する。ここでは、ＭＳ２００が単一ＢＳブロードキャストサービス又は多重ＢＳブロードキャストサービスを要求すると仮定し、ブロードキャストサービスの各々は、複数のコンテンツブロードキャストを提供する。
【００９５】
従って、ステップ４１３で、ＢＳ４５０は、動的サービスＸ_受信（ＤＳＸ_ＲＶＤ）メッセージをＭＳ４００へ送信する。ＤＳＸ_ＲＶＤメッセージは、ＢＳ４５０がＤＳＡ_ＲＥＱメッセージのようなＤＳＡ関連メッセージを正常に受信し、受信されたメッセージを処理していることをＭＳ４００に通知するために使用される。
【００９６】
この後、ＢＳ４５０は、ステップ４１５で、ＭＳ４００からのブロードキャストサービス接続要求に応じて、本発明で新たに定義されたＤＳＡ_ＲＳＰメッセージをＭＳ４００へ送信する。新たに定義されたＤＳＡ_ＲＳＰメッセージのＴＬＶがエンコーディングされた情報フィールドは、ＭＳ４００が接続要求したブロードキャストサービスにマッピングされるＣＩＤ及び複数のコンテンツブロードキャストにマッピングされる論理チャネルＩＤを割り当てられる。ここで、ＣＩＤは、単一ＢＳブロードキャストサービスの場合には、トランスポートＣＩＤであり、多重ＢＳブロードキャストサービスの場合には、マルチキャストＣＩＤであることに留意すべきである。
【００９７】
ＤＳＡ_ＲＳＰメッセージを受信した場合には、ステップ４１７で、ＭＳ４００は、＜表８＞に示すようなＤＳＡ肯定応答（ＤＳＡ_ＡＣＫ）メッセージをＢＳ４５０へ送信する。
【００９８】
ＭＳ４００は、ステップ４１７まで１つのブロードキャストサービスに対するＣＩＤ及び複数のコンテンツブロードキャストに対する論理チャネルＩＤを割り当てられた後に、１回の接続設定手続きを介して複数のブロードキャストを受信することができる。
【００９９】
ＣＩＤと論理チャネルＩＤとの組合せの使用例は、次の通りに要約することができる。
【０１００】
− ＣＩＤ：論理チャネルＩＤ ＝＝ ブロードキャストサービスプロバイダ：ブロードキャストサービス内のコンテンツブロードキャストＩＤ
【０１０１】
上記使用例は、該当ブロードキャストサービスを提供するサービスプロバイダを識別するためには、マルチキャストＣＩＤ又はトランスポートＣＩＤを使用し、該当ブロードキャストサービスで提供される複数のコンテンツブロードキャストを識別するためには、論理チャネルＩＤを使用することを意味する。従って、ＭＳは、１回の接続設定手続きで、ブロードキャストサービスプロバイダにより提供される複数のコンテンツブロードキャストを動的に選択することができる。
【０１０２】
一方、該当ブロードキャストサービスプロバイダにより提供されるコンテンツブロードキャストの個数が論理チャネルＩＤの個数である２５６個を超過する場合には、ＢＳは、予め認識している複数の論理グループＩＤ（場合によって、トランスポートＣＩＤ又はマルチキャストＣＩＤ）を割り当てることができる。これは、ＭＳが複数回のＤＳＡ_ＲＥＱ／ＲＳＰ手続きを遂行しなければならないことを意味する。この場合には、ＭＳが複数回のＤＳＡ_ＲＥＱ／ＲＳＰ手続きを遂行すべきことを認識することができるように、ＭＢＳサーバは、ＭＳが受信するＭＢＳブロードキャストサービスリストに最大２５６個のブロードキャストサービスを有する論理グループ単位を表示して、ＭＢＳブロードキャストサービスリストを提供する。ＭＳは、論理グループ情報に対応する回数だけＤＳＡ_ＲＥＱ／ＲＳＰ手続きを遂行する。
【０１０３】
例えば、ＭＢＳブロードキャストサービスリストは、論理グループＩＤ＃１に対する０〜２５５の論理チャネルＩＤを含み、論理グループＩＤ＃２に対する２５６〜５１１の論理チャネルＩＤを含むことができる。従って、ＭＳは、論理チャネルＩＤ１、２００、及び２５５にマッピングされるコンテンツを要求する場合には、１回のＤＳＡ_ＲＥＱメッセージの送信で接続設定を遂行することができる。しかしながら、ＭＳは、論理チャネルＩＤ２００及び５００にマッピングされるコンテンツを要求する場合には、２回のＤＳＡ_ＲＥＱメッセージの送信で接続設定を遂行することができる。
【０１０４】
１つのＣＩＤ、すなわち、１つの論理グループＩＤにマッピングされるブロードキャストサービスの可能な個数を拡張することが最も好ましい。すなわち、１つのＣＩＤが提供されるコンテンツの総数を６５５３６個と仮定すれば、論理チャネルＩＤの範囲を０〜６５５３５まで拡張することが好ましい。これは、長さフィールドが２バイトの長さに拡張されなければならないことを意味する。
【０１０５】
− マルチキャストＣＩＤ：論理チャネルＩＤ ＝＝ ブロードキャストサービス提供グループＩＤ：ブロードキャストサービスプロバイダ
【０１０６】
上記使用例は、１つのＭＢＳゾーンでブロードキャストサービスを提供するプロバイダの個数が９５個を超過する場合における解決策を示す。言い換えれば、マルチキャストＣＩＤの個数が９５個である一方で、１つのＭＢＳゾーン内のブロードキャストサービスプロバイダの個数が９５個を超過する場合には、マルチキャストＣＩＤは、ブロードキャストサービス提供グループのＩＤとして使用され、論理チャネルＩＤは、マルチキャストＣＩＤに取って代わる。
【０１０７】
例えば、０〜９４のマルチキャストＣＩＤ値を有するブロードキャストサービスプロバイダは、ブロードキャストサービス提供グループＩＤ‘０’を有し、上記０〜９４のマルチキャストＣＩＤ値は、論理チャネルＩＤ値に取り替えられる。また、９５〜１８９のマルチキャストＣＩＤ値にマッピングされるブロードキャストサービスプロバイダは、ブロードキャストサービス提供グループＩＤ‘１’を有し、９５〜１８９のマルチキャストＣＩＤ値 は、論理チャネルＩＤ値に取り替えられる。
【０１０８】
すなわち、ブロードキャストサービス提供グループＩＤ：ブロードキャストサービスプロバイダ＝０：９４は、既存のマルチキャストＣＩＤ値９４を有するブロードキャストサービスプロバイダを意味する。
【０１０９】
また、ブロードキャストサービス提供グループＩＤ：ブロードキャストサービスプロバイダ＝１：９４は、ＭＢＳゾーンに新たに追加された１８９番目のブロードキャストサービスプロバイダを意味する。
【０１１０】
ここで、ブロードキャストサービス提供グループＩＤは、マルチキャストＣＩＤの個数である９５個まで拡張されることができる。すなわち、ブロードキャストサービス提供グループＩＤは、０から９４までの値を有する。
【０１１１】
一方、ＤＳＡ_ＲＥＱ／ＤＳＡ_ＲＳＰメッセージの送受信手続きを通してＭＳとＢＳとの間で複数のブロードキャスト接続が設定されれば、ＭＳは、該当ＭＢＳ接続に対するブロードキャストメッセージを受信することができる。従って、ＭＳが上記論理チャネルＩＤを用いてブロードキャストサービス及びコンテンツブロードキャストを識別することができるように、ＭＢＳ_ＤＡＴＡ_ＩＥのフォーマットを修正する。修正されたＭＢＳ_ＤＡＴＡ_ＩＥのフォーマットを、下記の＜表１５＞に示す。
【０１１２】
【表１５Ａ】
2008538479.tif 000019
【表１５Ｂ】
2008538479.tif 000020
【０１１３】
＜表１５＞に示すように、修正されたＭＢＳ_ＤＡＴＡ_ＩＥフォーマットは、ＭＢＳサービスが実際にフレームにマッピングされる場合に、ＭＳが該当ブロードキャストサービスを識別することができるように、論理チャネルＩＤが新たに追加されることを示す。
【０１１４】
一方、本発明は、同一のＣＩＤ（または、相互に異なる論理チャネルＩＤ）を有するブロードキャストサービスのみで構成されるダウンリンクバーストを考慮する場合には、同一のマルチキャストＣＩＤが繰り返し含まれることを防止するために、ＣＩＤリストフォーマットパラメータをＭＢＳ_ＤＡＴＡ_ＩＥフォーマットに追加する。
【０１１５】
ＭＢＳ_ＤＡＴＡ_ＩＥフォーマットにおいて、ＣＩＤリストフォーマット＝０は、ＭＢＳ_ＤＡＴＡ_ＩＥにより示されるＭＢＳデータバースト内のブロードキャストメッセージＣＩＤが同一でないことを意味する。すなわち、少なくとも２つのブロードキャストメッセージＣＩＤが存在することを意味するので、＜表１３＞に示すように、複数のマルチキャストＣＩＤ及び複数の論理チャネルＩＤは、対で構成されて、ブロードキャストサービスメッセージの割当て順序を区別することができる。すなわち、ＭＳは、マルチキャストＣＩＤ：：論理チャネルＩＤの順に、ブロードキャストメッセージがＭＢＳ_ＤＡＴＡ_ＩＥにより示されるＭＢＳデータバーストに含まれていることを認識しなければならない。ここで、ＭＢＳデータバースト内に含まれたブロードキャストメッセージは、ＭＡＣフレームのフォーマットを有し、ＭＡＣフレームのヘッダーフィールド内のＣＩＤフィールドは、マルチキャストＣＩＤを含む。また、本発明が論理チャネルＩＤを提供するので、ブロードキャストメッセージは、マルチキャストＣＩＤ：：論理チャネルＩＤの順にＭＢＳ_ＤＡＴＡ_ＩＥに含まれる。
【０１１６】
一方、ＣＩＤリストフォーマット＝１は、ＭＢＳ_ＤＡＴＡ_ＩＥにより示されるＭＢＳデータバースト内のブロードキャストメッセージＣＩＤがすべて同一であることを意味する。従って、同一のマルチキャストＣＩＤを繰り返し含む必要がなく、１つのマルチキャストＣＩＤ及びこれに関連した複数の論理チャネルＩＤを用いて、ブロードキャストサービスメッセージの割当て順序を区別することができる。１つの論理チャネルＩＤに対する複数のブロードキャストサービスメッセージは、１つのＭＢＳデータバースト内に含まれてもよい。このような状況で、複数の論理チャネルＩＤが１つのＭＢＳ_ＤＡＴＡ_ＩＥに含まれることがあることに留意すべきである。
【０１１７】
図５は、本発明によるＭＳがブロードキャストサービス接続設定を遂行する過程を示すフローチャートである。
【０１１８】
図５を参照すると、ＭＳは、ステップ５０２で、ＭＢＳサーバから提供されるブロードキャストサービスリストを検索して検出する。ＭＳは、ステップ５０４で、ＤＳＡ_ＲＥＱメッセージをＢＳへ送信する。ここで、ＤＳＡ_ＲＥＱメッセージのＴＬＶがエンコーディングされた情報フィールドが単一ＢＳブロードキャストサービス接続要求又は多重ＢＳブロードキャストサービス接続要求を示す指示値を含むと仮定する。ＤＳＡ_ＲＥＱメッセージの場合には、従来のＤＳＡ_ＲＥＱメッセージ及び本発明で提供されるＤＳＡ_ＲＥＱメッセージのうちのどちらかが使用されることができる。提供されたＤＳＡ_ＲＥＱメッセージは、該当ブロードキャストサービスだけではなく、ブロードキャストサービスで提供されるコンテンツも接続要求のために使用されることができる。ステップ５０６で、ＭＳは、要求されたブロードキャストサービスにマッピングされるＣＩＤ及びブロードキャストサービスで提供されるコンテンツにマッピングされる少なくとも１つの論理チャネルＩＤをＢＳから割り当てられる。ここで、ブロードキャストサービスにマッピングされるＣＩＤは、単一ＢＳブロードキャストサービスで使用されるトランスポートＣＩＤ又は多重ＢＳブロードキャストサービスで使用されるマルチキャストＣＩＤである。
【０１１９】
図６は、本発明によるＢＳがブロードキャストサービス接続設定を遂行する過程を示すフローチャートである。
【０１２０】
図６を参照すると、ＢＳは、ステップ６０２で、単一ＢＳブロードキャストサービス接続要求又は多重ＢＳブロードキャストサービス接続要求を示す指示値を含むＤＳＡ_ＲＥＱメッセージをＭＳから受信する。ＤＳＡ_ＲＥＱメッセージの場合には、従来のＤＳＡ_ＲＥＱメッセージ及び本発明で提供されるＤＳＡ_ＲＥＱメッセージのうちのどちらかが使用されることができる。提供されたＤＳＡ_ＲＥＱメッセージは、該当ブロードキャストサービスだけではなく、ブロードキャストサービスで提供されるコンテンツも接続要求のために使用されることができる。ステップ６０４で、ＢＳは、要求されたブロードキャストサービスにマッピングされるＣＩＤ及びブロードキャストサービスで提供されるコンテンツにマッピングされる少なくとも１つの論理チャネルＩＤをＭＳに割り当てる。ここで、ＣＩＤは、トランスポートＣＩＤ又はマルチキャストＣＩＤである。
【０１２１】
本発明の第２の実施形態は、ＭＳが従来のＤＳＡ_ＲＥＱメッセージをＢＳへ送信する場合に、ＢＳがブロードキャストサービス接続を遂行する方式を提供する。
【０１２２】
従来のＤＳＡ_ＲＥＱメッセージは、単一ＢＳブロードキャストサービスの接続要求のみのために使用されることができる。従って、本発明の第２の実施形態において、従来のＤＳＡ_ＲＥＱメッセージをＭＳから受信した場合には、ＢＳは、ＤＳＡ_ＲＳＰメッセージ内に自身が属するＭＢＳゾーンで提供される少なくとも１つのブロードキャストサービスに対する接続情報、すなわち、ＭＢＳコンテンツＩＤを含み、受信されたＤＳＡ_ＲＥＱメッセージに応じたＤＳＡ_ＲＳＰメッセージをＭＳへ送信する。
【０１２３】
従って、下記の＜表１６＞に示すようなフォーマットは、ＤＳＡ_ＲＳＰメッセージ及びＤＳＡ_ＡＣＫメッセージのＴＬＶがエンコーディングされた情報フィールドに含まれなければならない。＜表１６＞は、ＭＢＳコンテンツＩＤパラメータのフォーマットを示す。
【０１２４】
【表１６】
2008538479.tif 000021
【０１２５】
＜表１６＞に示すＭＢＳコンテンツＩＤパラメータは、ＴＬＶエンコーディングフォーマットを有し、ＢＳから提供されるブロードキャストサービス（又はブロードキャストチャネル）のＩＤをブロードキャストサービスを要求したＭＳに含む。ＭＢＳコンテンツＩＤの個数がＮである場合には、１つのＭＢＳコンテンツＩＤの長さが２バイトであるので、すべてのＭＢＳコンテンツＩＤの総長さは、２＊Ｎである。ＭＢＳコンテンツＩＤの長さは、その実現に従って変更され得る。ＭＢＳコンテンツＩＤに含まれた値は、ＭＡＣ層の上位層で論議されなければならないので、本発明とは直接関連がない。
【０１２６】
ＭＢＳコンテンツＩＤを含むＤＳＡ_ＲＳＰメッセージを受信した場合には、ＭＳは、＜表１４＞に示す論理チャネルＩＤとは概念が異なる論理チャネルＩＤの割当て関係を把握しなければならない。すなわち、論理チャネルＩＤもＤＳＡ_ＲＳＰメッセージに含まれたＭＢＳコンテンツＩＤの順に、０の値から割り当てられることができる。例えば、＜表１６＞の値フィールドにおいて、論理チャネルＩＤ‘０’は、第１のＭＢＳコンテンツＩＤ（すなわち、ＭＢＳコンテンツＩＤ（０））に割り当てられ、論理チャネルＩＤ‘１’は、第２のＭＢＳコンテンツＩＤ（すなわち、ＭＢＳコンテンツＩＤ（１））に割り当てられ、論理チャネルＩＤ‘Ｎ’は、第ＮのＭＢＳコンテンツＩＤ（すなわち、ＭＢＳコンテンツＩＤ（Ｎ−１））に割り当てられる。＜表１６＞のＭＢＳコンテンツＩＤ ＴＬＶは、複数のブロードキャストサービス接続を要求することができるＤＳＡ_ＲＥＱメッセージを用いて、ＭＳが複数のブロードキャストサービスを要求する場合にも使用されてもよい。
【０１２７】
一方、ＢＳは、ＤＳＡ_ＲＥＱメッセージをＭＳへ送信することによりＭＢＳ接続を要求することもある。従って、ＢＳは、本発明の第２の実施形態で提供されたＭＢＳコンテンツＩＤ ＴＬＶをＤＳＡ_ＲＥＱメッセージとともにＭＳへ送信することができる。参考のため、ＤＳＡ_ＲＥＱメッセージは、１つのＣＩＤを含む。
【０１２８】
本発明の第３の実施形態は、＜表１５＞のＭＢＳ_ＤＡＴＡ_ＩＥフォーマットとは異なるＭＢＳ_ＤＡＴＡ_ＩＥフォーマットを提供する。第１の実施形態又は第２の実施形態に従って、ＭＳが自身に許可されたブロードキャストサービスを認識する場合に、ＢＳは、下記の＜表１７＞に示すＭＢＳ_ＤＡＴＡ_ＩＥをダウンリンクフレームとともにＭＳへ送信する。
【０１２９】
【表１７Ａ】
2008538479.tif 000022
【表１７Ｂ】
2008538479.tif 000023
【０１３０】
＜表１７＞に示すように、ＭＢＳ_ＤＡＴＡ_ＩＥフォーマットは、ブロードキャストサービスがダウンリンクフレームにマッピングされる場合に、論理チャネルＩＤがマルチキャストＣＩＤに従って割り当てられることを示す。ＭＳは、マルチキャストＣＩＤ：：論理チャネルＩＤにマッピングされるブロードキャストメッセージがダウンリンクフレームのＭＢＳデータバーストフィールドに順次に含まれていることを予め認識しなければならない。これは、ＭＳがＭＢＳ_ＤＡＴＡ_ＩＥを読み出すために可能である。ここで、ＭＢＳデータバーストフィールドに含まれたブロードキャストメッセージは、ＭＡＣフレームフォーマットを有し、マルチキャストＣＩＤは、ＭＡＣフレームヘッダーフィールドのＣＩＤフィールドに含まれる。
【０１３１】
また、マルチキャストＣＩＤ：：論理チャネルＩＤにマッピングされるブロードキャストメッセージは、ダウンリンクフレームのＭＢＳデータバーストフィールドに順次に含まれてもよい。しかしながら、マルチキャストＣＩＤ：：論理チャネルＩＤにマッピングされるブロードキャストメッセージは、ＭＢＳデータバーストフィールドに順次に含まれていなくてもよい。この場合には、論理チャネルＩＤは、ＭＢＳデータバーストフィールド内のブロードキャストメッセージに含まれたブロードキャストコンテンツの前に含まれる。
【０１３２】
マルチキャストＣＩＤ：：論理チャネルＩＤの順序に、又は、順序に関係なく、ブロードキャストダウンリンクフレームのＭＢＳデータバーストフィールドにブロードキャストメッセージを割り当てることは、ブロードキャストメッセージ内のブロードキャストコンテンツに論理チャネルＩＤを含むか否かに関連する。
【０１３３】
本発明の第４の実施形態は、修正されたＭＢＳ ＭＡＰメッセージフォーマットを提供する。ＭＳが自身に許可されたブロードキャストサービスを認識する場合に、すなわち、ＭＳが論理チャネルＩＤを認識する場合に、ＢＳは、ブロードキャストサービスをＭＳへ提供する際に、従来のＭＢＳ_ＤＡＴＡ_ＩＥ及び本発明によるＭＢＳ_ＤＡＴＡ_ＩＥのすべてが適用されることができる修正されたＭＢＳ ＭＡＰメッセージを使用する。修正されたＭＢＳ ＭＡＰメッセージのフォーマットは、下記の＜表１８＞に示す。
【０１３４】
【表１８】
2008538479.tif 000024
【０１３５】
本発明で新たに提案されるＭＢＳ ＭＡＰメッセージは、従来のＭＢＳ ＭＡＰメッセージに‘＃ＭＢＳ_ＤＡＴＡ_ＩＥ ｗｉｔｈ Ｌｏｇｉｃａｌ ＣｈａｎｎｅｌＩＤ’フィールドを追加したフォーマットを有する。ＭＳは、マルチキャストＣＩＤのみを含むＤＳＡ_ＲＳＰメッセージによって認識されたブロードキャストサービスに対しては従来のＭＢＳ_ＤＡＴＡ_ＩＥを参照する。しかしながら、マルチキャストＣＩＤだけでなく、論理チャネルＩＤも含むＤＳＡ_ＲＳＰメッセージを受信しているＭＳは、本発明の第１の実施形態又は第３の実施形態で提供されたＭＢＳ_ＤＡＴＡ_ＩＥを参照する。＜表１８＞において、論理チャネルＩＤの個数を示す‘＃ＭＢＳ_ＤＡＴＡ_ＩＥ ｗｉｔｈ Ｌｏｇｉｃａｌ ＣｈａｎｎｅｌＩＤ’フィールドが‘０’の値を有する場合には、論理チャネルＩＤを有するＭＢＳ_ＤＡＴＡ_ＩＥがＭＢＳ ＭＡＰメッセージに存在しないことを意味する。
【０１３６】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【０１３７】
【図１】一般的な移動通信システムにおけるＭＢＳシステムのアーキテクチャを概略的に示す図である。
【図２】従来のＢＷＡ通信システムにおけるブロードキャストサービス接続手続きを示すシグナリング図である。
【図３】一般的なＢＷＡ通信システムにおけるＭＢＳゾーン情報を含むダウンリンクフレームの構成を概略的に示す図である。
【図４】本発明の実施形態によるＢＷＡ通信システムにおけるブロードキャストサービス接続手続きを示すシグナリング図である。
【図５】本発明の実施形態によるＭＳがブロードキャストサービス接続設定を遂行する過程を示すフローチャートである。
【図６】本発明の実施形態によるＢＳがブロードキャストサービス接続設定を遂行する過程を示すフローチャートである。
【図１】
2008538479.tif 000025
【図２】
2008538479.tif 000026
【図３】
2008538479.tif 000027
【図４】
2008538479.tif 000028
【図５】
2008538479.tif 000029
【図６】
2008538479.tif 000030
【国際調査報告】
2008538479.tif 000031
2008538479.tif 000032